(57)【要約】【課題】特殊装置を必要とせず、市販されている情報記録媒体を加工することなく、認証手段を遂行することを目的とする。【解決手段】第１の情報領域と第２の情報領域を有し、前記第１の情報領域にセキュリティ生成プログラムを備えた情報記録媒体であって、前記セキュリティ生成プログラムは、情報入力時には、利用者が実行するパスワードの入力手段と前記パスワードの入力が完了したことの確認手段と情報を書き込み可能な前記第２の情報領域に移行する手段と、情報再生時には、利用者が入力した前記パスワードの確認手段と前記第２の情報領域に移行する手段とを具備することを特徴とする。【選択図】  図１
2004281011.tif 000002
【特許請求の範囲】
【請求項１】
プログラム領域及びパスワード保存領域よりなる第１の情報領域並びにデータ保存領域よりなる第２の情報領域を有し、前記プログラム領域にセキュリティ生成プログラムを備えた情報記録媒体であって、前記セキュリティ生成プログラムは、情報入力時には、利用者が入力するパスワードの入力手段と前記パスワードを前記パスワード保存領域に保存する保存手段と前記第２の情報領域にデータの保存を可能にする移行手段と、情報再生時には、利用者が入力した前記パスワードの確認手段と前記第２の情報領域に移行する移行手段とを具備することを特徴とする情報記録媒体。
【発明の詳細な説明】
【０００１】
【発明が属する技術分野】
本発明は、情報記録媒体に関し、詳しくはセキュリティ生成プログラムを備えた情報記録媒体に関する。
【０００２】
【従来の技術】
情報記録媒体の認証手段には、特定位置に電子透かし情報を埋めこむ方法（特開Ｈ１１−８６４３６）や、書き込み不能の領域にＩＤを記録する方法（特開２００２−２５９３４６）がある。何れも、製造段階で、認証用情報を固有情報として情報記録媒体に、記録してあるので、利用者は、製造者から与えられるプロダクトキーを使わなければ、情報記録媒体を利用することができないという問題点がある。
【０００３】
また、上記の何れの方法も、読み取り専用の情報記録媒体を対象としたものであって、利用者の固有のＩＤ情報を書き込むことは不可能であった。そこで、情報記録媒体自身にＩＣチップを埋めこみ、非接触で読み書き機能を付加した方法が提案されている（特開２０００−５７２９６）。しかしながら、この提案の実施例によると、ＣＤ−ＲＯＭにセキュリティ・チップ及びチップ用アンテナを埋めこむ構成であり、特殊装置が必要であるばかりでなく、多量に扱う場合、費用が嵩むという問題点がある。
【０００４】
【発明が解決しようとする課題】
本発明は、かかる問題点に鑑み想到したもので、特殊装置を必要とせず、市販されている情報記録媒体に構造加工物を付加することなく、認証手段を遂行可能とすることを目的とする。
【０００５】
【課題を解決するための手段】
この課題を解決するために、創案された請求項１に記載の情報記録媒体の技術手段は、プログラム領域及びパスワード保存領域よりなる第１の情報領域並びにデータ保存領域よりなる第２の情報領域を有し、前記プログラム領域にセキュリティ生成プログラムを備えた情報記録媒体であって、前記セキュリティ生成プログラムは、情報入力時には、利用者が入力するパスワードの入力手段と前記パスワードを前記パスワード保存領域に保存する保存手段と前記第２の情報領域にデータの保存を可能にする移行手段と、情報再生時には、利用者が入力した前記パスワードの確認手段と前記第２の情報領域に移行する移行手段とを具備することを特徴とする。情報記録媒体の製造者が定めたＩＤなどの認証手段を使用することなく、市販の情報記録媒体に利用者が自由にパスワードを設定することができる効果がある。
【０００６】
【発明の実施の形態】
市販の情報記録媒体に認証手段を実施する目的を、情報記録媒体にセキュリティ生成プログラムを埋めこむによって実現した。
【０００７】
【実施例】
図１は、本発明の実施の形態を示す情報記録媒体を使用して、認証手段を実行するシステムの構成を示すブロック図である。情報記録媒体１は、市販のＣＤ、ＭＤ、ＦＤであり、第１の情報領域２及び第２の情報領域３を有する。第１の情報領域２は、情報記録媒体１のヘッダーに相当する部分であり、セキュリティ生成プログラムが埋めこまれている領域２１と利用者が入力するパスワードの保存領域２２とよりなる。
【０００８】
第１の情報領域２に保存されているプログラム及びＩＤ又はパスワードは表示されることはなく、第２の情報領域３は、記録データの保存領域に開放されている。
【０００９】
情報記録媒体１は、情報記録媒体駆動装置４によって、情報処理される。情報記録媒体駆動装置４は、パソコン（ＰＣ）装置、ＤＶＤテレビレコーダ装置などであって、駆動部５とプロセス制御部６と表示部７と入力部８よりなる。駆動部５は、情報記録媒体１の第１の情報領域２に埋め込まれたセキュリティ生成プログラムを読み取る機能と情報記録媒体１の第２の情報領域３にファイルを保存する機能を有する。プロセス制御部６は、駆動部５で読み取られたセキュリティ生成プログラムを起動し実行し、表示部７の画面上で、入力部８からの入力を促し、入力情報を第１の情報領域２の保存領域２２に保存する機能及び記録データを第２の情報領域３に保存する機能を有する。入力部８は、ＰＣキーボード、ＤＶＤリモートコントロールである。表示部７は、パソコンのデスプレイ、テレビである。本明細書では、パソコン（ＰＣ）装置として、説明するが、ＤＶＤテレビレコーダ装置でも発明の趣旨はかわらない。
【００１０】
セキュリティ生成プログラムは、書き込みのプログラムと読み込みのプログラムとよりなる。
【００１１】
図２は、ＩＤ又はパスワードを書き込み、データを書き込むためのセキュリティ生成プログラム作動のフロー図である。
【００１２】
セキュリティ生成プログラムの書き込み作動のステップを図２によって説明する。各ステップは、セキュリティ生成プログラムを埋めこんだ情報記録媒体１を情報記録媒体駆動装置４の駆動部５に挿入すると、読み取り機構がセキュリティ生成プログラムを読み取るステップＳ１１と、プロセス制御部６において、セキュリティ生成プログラムが起動するステップＳ１２と、表示部７において、ログオンウイザード画面が表示されるステップＳ１３と、利用者９が、表示部７の画面上で、ＩＤ又はパスワードを入力するステップＳ１４と、プロセス制御部６において、ＩＤ又はパスワードを情報記録媒体１の保存領域２２に保存するステップＳ１５と、情報記録媒体１の第２の情報領域３にファイルが保存可能となるコマンドを生成するステップＳ１６と、ファイルを保存するステップＳ１７とよりなる。
【００１３】
前記ＩＤ又はパスワードは、利用者が定める任意の文字列よりなり、カナ文字、漢字、数字、英文字の何れか一つ又は組み合わせであり、桁数は問わない。
【００１４】
図３は、セキュリティ生成プログラムの読み込みのプログラム作動のフロー図である。セキュリティ生成プログラムの読み込み作動のステップを図３によって説明する。
【００１５】
読み込みのプログラムは、セキュリティ生成プログラムを埋めこんだ情報記録媒体１を情報記録媒体駆動装置４の駆動部５に挿入すると、読み取り機構が第１の情報領域２のプログラム領域２１からセキュリティ生成プログラムを読み取るステップＳ２１と、プロセス制御部６において、セキュリティ生成プログラムが起動するステップＳ２２と、読み取り機構が第１の情報領域２のパスワード保存領域２２からＩＤ又はパスワードの読み取りステップＳ２３と、表示部７において、ログオンウイザード画面が表示されるステップＳ２４と、利用者９が、表示部７の画面上で、ＩＤ又はパスワードを入力するステップＳ２５と、プロセス制御部６において、入力されたＩＤ又はパスワードとステップＳ２３において読み取られたＩＤ又はパスワードと照合するステップＳ２６と、両者が合致すれば、データ表示の実行に移行するステップＳ２７とよりなる。
【００１６】
【発明の効果】
本発明は、セキュリティ生成プログラムを備えることを特徴とする情報記録媒体なので、ＩＤ又はパスワードを入力しないとデータを記録することができない。また、ＩＤ又はパスワードを入力しないと記録したデータを読むことができない。あらかじめ隠れたＩＤ又はパスワードを有する媒体とは異なり、製造時には、何らの構造加工物を必要としないので、読み取りにも特殊装置を必要としないメリットがある。
【図面の簡単な説明】
【図１】本発明の実施の形態を示す情報記録媒体を使用して、認証手段を実行するシステムの構成を示すブロック図である。
【図２】セキュリティ生成プログラムの書き込みのプログラム作動のフロー図である。
【図３】セキュリティ生成プログラムの読み込みのプログラム作動のフロー図である。
【符号の説明】
１  情報記録媒体
２  第１の情報領域
３  第２の情報領域
４  情報記録媒体駆動装置
５  駆動部
６  プロセス制御部
７  表示部
８  入力部
９  利用者
【図１】
2004281011.tif 000003
【図２】
2004281011.tif 000004
【図３】
2004281011.tif 000005